(57)【要約】  【課題】コンジットを室外機の後方に容易に引き回す構造にして設置性を向上させ、また、冷媒管とコンジットとを集合させ、これらを電装カバーで一括して覆うことが可能なコンジットの取付構造を備えた空気調和機の室外機を提供する。  【解決手段】コンジット取付板３は、略台形の板の２カ所の端部を同一方向に断面Ｌ字型に折曲し、一方の垂直面に２カ所の透孔３ａと、室外機１と平行な固定部３ｃと、台形部３ｄに２カ所の挿通孔３ｅとを備えている。そして、コンジット２の外周にネジ山２ａを備えた端部をコンジット取付板３の透孔３ａに挿通し、ネジ山２ａと対応するナット１１をコンジット２の端部に螺着し、コンジット２をコンジット取付板３に固定している。そして、ネジ７を挿通孔３ｅに挿通してネジ孔６ｂに螺着してコンジット取付板３を端子台取付板６に固定している。【選択図】図１
2006046830.tif 000002
【特許請求の範囲】
【請求項１】
筐体の一側面に、電線を格納したコンジットの端部を固定するコンジット固定部と、前記電線を接続する端子台とを備えた空気調和機の室外機において、
前記コンジット固定部は、前記室外機の一側面と垂直となる板面に透孔を備え、同透孔に前記コンジットの端部を固定するコンジット取付板からなることを特徴とする空気調和機の室外機。
【請求項２】
前記室外機の一側面に、前記電線を筐体内へ導く配線窓と、同配線窓内に配置された前記端子台を固定し、前記配線窓から前記筐体側面に平行で、かつ下方に向かって延出された面に前記コンジット取付板を固定する端子台取付板とを設けてなることを特徴とする請求項１記載の空気調和機の室外機。
【請求項３】
前記コンジット取付板のコンジット取付面は、前記室外機の前後方向に傾斜してなることを特徴とする請求項１または請求項２に記載の空気調和機の室外機。
【請求項４】
筐体の一側面に、電線を格納したコンジットの端部を固定するコンジット固定部と、前記電線を筐体内へ導く配線窓と、同配線窓内に配置された端子台とを備えた空気調和機の室外機において、
前記コンジット固定部は、前記配線窓と対応する面が開放された箱体からなり、前記室外機の一側面と垂直となる前記箱体の側面に透孔を備え、同透孔に前記コンジットの端部を固定し、前記室外機の一側面上における複数の向きから択一的に選択して固定してなることを特徴とする空気調和機の室外機。
【請求項５】
筐体の一側面に、電線を格納したコンジットの端部を固定するコンジット固定部と、前記電線を筐体内へ導く配線窓とを備えた空気調和機の室外機において、
前記コンジット固定部は、中空のパイプをＬ字型に形成し、同パイプの一方の端部に前記コンジットの端部を固定し、他方の端部を前記配線窓に回動自在に固定されてなることを特徴とする空気調和機の室外機。
【発明の詳細な説明】
【技術分野】
【０００１】
本発明は、空気調和機の室外機に関し、より詳細には、室外機の側面に接続する電気ケーブルを格納したコンジットの取付構造に関する。
【背景技術】
【０００２】
従来、空気調和機の室外機で配線や冷媒管を外部と接続するため、例えば図７の構造になっていた。図７（Ａ）は室外機の正面から見た部分図であり、図７（Ｂ）は側面図、図７（Ｃ）は電装カバーの正面図である。
【０００３】
空気調和機の室外ユニット４０において、電装カバー５１は外箱４１の一部を構成し、電装部品４３を外部の水分、ほこりなどから保護し、サービスを容易にする機能だけでなく、室内ユニット４０の電装部品４３とをつないでいる電線４４および接続ターミナル４５を保護する機能と、エクステリア性を向上させる機能も有している。
【０００４】
このため、接続ターミナル４５と接続弁４６および接続配管４９の３ヶ所を同時に覆う機能を一体化した電装カバー５１により、上記要部３個所のカバーと他に室外ユニットの少なくとも側面の範囲において、電線４４を覆うようになっている。（例えば、特許文献１参照。）。
【０００５】
ところが、アメリカなどで採用されている絶縁性の高いコンジット（電線用配管）は、金属や合成樹脂で形成されており、丈夫な半面、可橈性が悪いという問題があり、電線をコンジットに格納し、図７のように電線４４と接続配管４９を同時に電装カバー５１で覆うことが出来なかった。
【０００６】
そこで、図８の空気調和機の室外機６１を示す斜視図で示すようにコンジット６２を用いる場合は、コンジット６２をコンジット取付板金６３を介して室外機６１の側面に固定する方法が採用されている。
【０００７】
室外機６１の側面には、電線６５を筐体内や外にへ導く矩形の配線窓６１ａとコンジット取付孔６１ｂとが設けられており、コンジット６２の外周にネジ山６２ａを備えた端部をコンジット取付板６３（コンジット固定部）の透孔６３ａに挿通し、ネジ山６２ａと対応するナット６４をコンジット６２の端部に螺着し、コンジット６２をコンジット取付板６３に固定している。
そして、コンジット取付板６３をネジ７０で室外機６１に固定し、コンジット６２に格納されている電線６５を室外機６１の内部を経由させ、配線窓６１ａから再び室外機６１の外部に取り出し、配線窓６１ａに露出させている端子台６６に接続する構造になっている。そして、電装カバー６７で配線窓６１ａと操作弁６８を覆い、ネジ６９で電装カバー６７を室外機６１の側面に固定している。
【０００８】
しかしながら、屋外で使用されるコンジットは耐久性を重視しているため、可橈性が悪く、室外機の側面にコンジットを取り付けた場合に、図７に示したように、冷媒管と電線とをまとめて、室外機の側面に平行に、かつ室外機の後方に向けることができず、コンジットのみが大回りに配管されてエクステリア性を損ねるばかりか、コンジットの無理な引き回しによりコンジットそのものが破損したり、コンジットの引回しを優先させたため、室外機の設置場所に制限が発生し、設置性が損なわれる場合があるという問題があった。
【０００９】
【特許文献１】特開開平６−２１３４８０号公報（第２頁、図１）
【発明の開示】
【発明が解決しようとする課題】
【００１０】
本発明は以上述べた問題点を解決し、コンジットを室外機の後方に容易に引き回す構造にして設置性を向上させ、また、冷媒管とコンジットとを集合させ、これらを電装カバーで一括して覆うことが可能なコンジット取付構造を備えた空気調和機の室外機を提供することを目的とする。
【課題を解決するための手段】
【００１１】
本発明は上述の課題を解決するため、筐体の一側面に、電線を格納したコンジット端部を固定するコンジット固定部と、前記電線を接続する端子台とを備えた空気調和機の室外機において、
前記コンジット固定部は、前記室外機の一側面と垂直となる板面に透孔を備え、同透孔に前記コンジットの端部を固定するコンジット取付板からなる構造にする。
【００１２】
また、前記室外機の一側面に、前記電線を筐体内へ導く配線窓と、同配線窓内に配置された前記端子台を固定し、前記配線窓から前記筐体側面に平行で、かつ下方に向かって延出された面に前記コンジット取付板を固定する端子台取付板とを設ける。
【００１３】
また、前記コンジット取付板のコンジット取付面は、前記室外機の前後方向に傾斜してなる構造にする。
【００１４】
もしくは、筐体の一側面に、電線を格納したコンジットの端部を固定するコンジット固定部と、前記電線を筐体内へ導く配線窓と、同配線窓内に配置された端子台とを備えた空気調和機の室外機において、
前記コンジット固定部は、前記配線窓と対応する面が開放された箱体からなり、前記室外機の一側面と垂直となる前記箱体の側面に透孔を備え、同透孔に前記コンジットの端部を固定し、前記室外機の一側面上における複数の向きから択一的に選択して固定してなる構造にする。
【００１５】
もしくは、筐体の一側面に、電線を格納したコンジットの端部を固定するコンジット固定部と、前記電線を筐体内へ導く配線窓とを備えた空気調和機の室外機において、
前記コンジット固定部は、中空のパイプをＬ字型に形成し、同パイプの一方の端部に前記コンジットの端部を固定し、他方の端部を前記配線窓に回動自在に固定されてなる構造にする。
【発明の効果】
【００１６】
以上の手段を用いることにより、本発明による空気調和機の室外機によれば、
請求項１に係わる発明は、コンジット固定部が、室外機の一側面と垂直となる板面に透孔を備え、同透孔にコンジットの端部を固定するコンジット取付板からなる構造にすることにより、
室外機の設置において、隣接する側面方向の空間を最小の寸法にできるため、設置性が向上し、また、無理なコンジットの引回しを軽減できる。
【００１７】
請求項２に係わる発明は、室外機の一側面に、電線を筐体内へ導く配線窓と、同配線窓内に配置された端子台を固定し、配線窓から筐体側面に平行で、かつ下方に向かって延出された面にコンジット取付板を固定する端子台取付板とを設けることにより、
仮に雨水がコンジット取付板内に浸入しても、雨水が結線部を濡らして電源がショートすることを防止できる。
また、コンジットが金属製である場合に、コンジットとコンジット取付板と端子台取付板とが電気的に接触するため、端子台取付板にアース接地するだけで、他の部分も同時にアース接地が可能であり、個々にアース接地を行なうことがなく、部品削減と組立工程が削減される。
また、端子台取付板は、端子台の取付とコンジット取付板の取付とを兼用しているため、それぞれを専用の板金で作成する場合に比較し、作業工数を削減できる。
【００１８】
請求項３に係わる発明は、コンジット取付板のコンジット取付面は、室外機の前後方向に傾斜してなる構造にすることにより、冷媒管と合流させて室外機の後方へ導くことができる。
【００１９】
請求項４に係わる発明は、コンジット固定部は、配線窓と対応する面が開放された箱体からなり、室外機の一側面と垂直となる箱体の側面に透孔を備え、同透孔にコンジットの端部を固定し、室外機の一側面上における複数の向きから択一的に選択して固定してなる構造にすることにより、
コンジットを室外機の側面に平行に接続できると共に、引回しに最適なコンジットの取付角度となるようにコンジット固定部の向きを変更できるため、エクステリア性と設置性とを向上させて、かつ、コンジットの無理な引き回しによるコンジットそのものの破損や亀裂による絶縁性の低下を防止することができる。
【００２０】
請求項５に係わる発明は、コンジット固定部は、中空のパイプをＬ字型に形成し、同パイプの一方の端部にコンジットの端部を固定し、他方の端部を配線窓に回動自在に固定されてなる構造にすることにより、
コンジットを室外機の側面に平行に接続できると共に、冷媒管と束ねるために最適なコンジットの取付角度となるようにコンジット固定部を回動できるため、エクステリア性と設置性とを向上させて、かつ、コンジットの無理な引き回しによるコンジットそのものの破損や亀裂による絶縁性の低下を防止することができる。
【発明を実施するための最良の形態】
【００２１】
以下、本発明の実施の形態を、添付図面に基づいた実施例として詳細に説明する。
【実施例１】
【００２２】
図１は本発明による空気調和機の室外機の実施例を示す斜視図であり、図２は室外機の側面図である。
本発明の特徴は可橈性が悪いコンジット２を室外機１の側面に接続し、冷媒管４と共に束ねたり、コンジット２を目的とする方向に容易に引き回すことにある。このため、コンジット２を一旦、コンジット取付板３の側面に固定し、このコンジット取付板３を室外機１の側面に固定することにより、コンジット２の引出し方向を従来の垂直から、水平方向に変更している。この室外機１の側面に固定されたコンジット取付板３がコンジット固定部を構成している。
【００２３】
コンジット取付板３は、台形の板金の２カ所の端部を同一方向に断面Ｌ字型に折曲し、一方の垂直面に２カ所の透孔３ａと、垂直面の先端にネジ孔３ｂを備え、室外機１と平行な固定部３ｃとを備えている。さらに、コンジット取付板３は、室外機１と平行な面である台形部３ｄに２カ所の挿通孔３ｅを備えている。そして、コンジット２の外周にネジ山２ａを備えた端部をコンジット取付板３の透孔３ａに挿通し、ネジ山２ａと対応するナット１１をコンジット２の端部に螺着し、コンジット２をコンジット取付板３に固定している。
【００２４】
一方、室外機１の配線窓１ａの内部には電装箱（図示せず）が配置されており、この電装箱に、電装箱内部に配線される電線とコンジット２に格納された電線１２とを結線する端子台５が固定された端子台取付板６が固定されている。
【００２５】
端子台取付板６は折曲されて端子台５の下部から配線窓１ａの外の下方に向かって、コンジット取付板３の台形部３ｄと対応する取付部６ａが延出されている。そして、この取付部６ａにはコンジット取付板３の挿通孔３ｅと対応するネジ孔６ｂが設けられており、ネジ７を挿通孔３ｅに挿通してネジ孔６ｂに螺着してコンジット取付板３を端子台取付板６に固定している。
【００２６】
また、コンジット２内に格納された電線１２はコンジット取付板３を経由して、上方に配置された端子台５に接続される。このように、コンジット取付板３が端子台５より下方に位置しているため、仮に雨水がコンジット取付板３内に浸入しても、雨水が端子台５を濡らして電源がショートすることを防止できる。
【００２７】
さらに、コンジット２が金属製である場合に、コンジット２とコンジット取付板３と端子台取付板６とが電気的に接触するため、端子台取付板６にアース接地するだけで、他の部分も同時にアース接地が可能であり、個々にアース接地を行なうことがなく、部品削減と組立工程が削減される。
【００２８】
また、端子台取付板６は、端子台５の取付とコンジット取付板３の取付とを兼用しているため、それぞれを専用の板金で作成する場合に比較し、作業工数を削減できる。
【００２９】
さらに、一方の面が開放された端子台カバー８は、この端子台カバー８に備えられた挿通孔８ａにネジ９を挿通させ、コンジット取付板３の固定部３ｃのネジ孔３ｂに螺着することで、コンジット取付板３と端子台５とを覆うようになっており、それぞれの防水性や安全性を向上させるようになっている。
【００３０】
図２は室外機１の側面図であり、端子台カバー８が、コンジット取付板３と端子台５とを覆った様子を示している。コンジット取付板３は前述のように台形であるため、コンジット２は室外機１の垂直方向に対して斜め下方に傾斜して引き出される構造になっている。また。冷媒管４は室外機１の垂直方向に対して斜め上方に傾斜して引き出される構造になっているため、コンジット２と冷媒管４が合流して室外機１の後方に引出しことができ、室外機１の側面側の空間はほとんど必要がなくなり、コンジット２や冷媒管４の引回しが容易になるため設置性が向上する。
【００３１】
また、コンジット２と冷媒管４と合流させることができるため、これらと対応する位置の電装カバー１０の側面に切欠１０ａを設けることにより、コンジット２と冷媒管４とを接続した状態で電装カバー１０を装着することができ、エクステリア性を向上させることができる。
【実施例２】
【００３２】
図３は本発明による別の実施例を示す室外機側面の斜視図であり、コンジットを一定角度毎に固定する構造を示している。なお、実施例１と同じ部分については同じ番号を付与し、詳細な説明を省略する。
【００３３】
本発明の特徴は可橈性が悪いコンジットを室外機２１の側面に接続し、冷媒管４と共に束ねたり、コンジット２２を目的とする方向に容易に引き回すことにある。このため、箱状のコンジット固定部２３の側面にコンジット２２を固定し、このコンジット固定部２３を室外機２１の側面に固定する構造にする。室外機２１の側面には複数のネジ孔２４が備えられており、コンジット固定部２３を一定角度ごとに回転した状態で固定することができるため、コンジット２２を目的とする方向に引き回すことが容易になる。
【００３４】
コンジット固定部２３は底面が開放された金属の箱状に形成されており、側面には金属性の２つのコンジット２２がナット２５により固定されている。このコンジット２２の内部にはターミナル２６が装着された電線２７が配置されており、室外機２１の側面に設けられた矩形孔２８から露出している端子台２９にターミナル２６を接続するようになっている。
【００３５】
また、コンジット固定部２３の側面４カ所には、取付孔３０を備えた板状の固定部３１がそれぞれ設けられており、ネジ３２をこの取付孔３０に挿通し、室外機２１側面に設けられたネジ孔２４に螺着することにより、コンジット固定部２３を室外機２１の側面に固定する構造となっている。このコンジット固定部２３と室外機２１側面に設けられたネジ孔２４とでコンジット固定部を構成している。
なお、コンジット固定部２３と室外機２１の側面との間には防水性を向上させるためのゴムパッキン３３が配置される。
【００３６】
図４はコンジット固定部２３の上面図であり、角度を変えて室外機２１に取り付けるためのネジ孔２４の位置につて説明するものである。点線は実線のコンジット固定部２３を４５度回転して配置した場合を示している。
【００３７】
このコンジット固定部２３は４カ所に取付孔３０が備えられており、これに対応して室外機２１の側面には８ヶ所のネジ孔２４が設けられている。
つまり、コンジット固定部２３の中心から４５度毎にネジ孔２４が設けられており、ネジ孔２４をこの角度の１つおきに使用することにより、コンジット固定部２３を４５度毎に回転させて固定することができる。従ってコンジット２２が目的の方向となる最も適切な角度を選択して固定することができる。
【００３８】
また、コンジット固定部２３の上面および開放口は正方形となっており、円周方向に隣り合うネジ孔２４は、投影方向で見た場合に必ずコンジット固定部２３の内部に隠れるようになるため、実際にネジ３２が取付られるネジ孔２４以外のネジ孔２４に関しては、防水処理を行なう必要がない。従ってコンジット固定部２３の設置を容易に行なうことができる。
なお、実施例においてコンジット固定部は金属の材料を想定しているが、本発明はこれに限るものではなく、強化プラスチックなどを用いて構成してもよい。
【実施例３】
【００３９】
図５は本発明による空気調和機の室外機の他の実施例を示す斜視図であり、図６はコンジット固定部の断面図である。
本発明の特徴は、室外機８１の側面から垂直に突出し、室外機８１と平行となるようにＬ字型に折れ曲がった中空のコンジット固定部８４が室外機８１の上下方向に自在に回動する構造にある。
【００４０】
このため、コンジット８２内部に挿通させた電線８５の先端に装着したコネクタ８６と、室外機８１の電装箱（図示せず）から延出された電線８７の先端に装着されたにコネクタ８８とをコンジット固定部８４の内部で結合させる。そして、このコンジット固定部８４の先端にコンジット８２を固定した後、コンジット固定部８４を回動させ、冷媒管４と束ねるのに都合のよい角度にする。
【００４１】
このコンジット固定部８４は図６に示すように、合成樹脂からなるパイプをＬ字型に折曲した形状となっており、一方の端部外周面にはネジ溝８４ａが形成されている。そして、他方の端部にはフランジ部８４ｂが設けられており、このフランジ部８４ｂの外周付近にはネジ孔８４ｃが２カ所に備えられている。
【００４２】
一方、コンジット８２の一方の端部にはコンジット固定部８４のフランジ部８４ｂに対応してフランジ板８２ａが設けられており、このフランジ板８２ａに設けられた挿通孔８２ｂを挿通したネジ８９がフランジ部８４ｂのネジ孔８４ｃに螺着してコンジット８２とコンジット固定部８４とを固定する構造になっている。必要であれば、このフランジ部８４ｂとフランジ板８２ａとの間にゴムの防水シート（図示せず）を配置してもよい。
【００４３】
さらに、コンジット固定部８４の他方の端部は、室外機８１の側面筐体の金属板９０に設けられた透穴９０ａを挿通しており、室外機８１の筐体内部側から固定ナット９１が、コンジット固定部８４のネジ溝８４ａに螺着されており、この金属板９０をこの固定ナット９１とストッパ部９２とで挟持している。
【００４４】
ストッパ部９２は金属板９０と対向する面に円周状に溝９２ａが設けられており、この溝９２ａにゴムからなるＯリング９２ｂが埋設されている。従って固定ナット９１がネジ溝８４ａの所定の位置（ネジ溝８４ａがなくなる直前の位置）まで螺着されると、Ｏリング９２ｂが金属板９０に密着し、水や塵埃の浸入を防止する構造となっている。
この構造により、コンジット固定部８４が回動可能となり、また、Ｏリング９２ｂによる適度な摩擦力により回動させた任意の位置で係止されており、回動角度の選択を容易に行なうことができる。
【００４５】
このようなコンジット固定部８４により、コンジット８２を室外機８１の側面に平行に接続できると共に、冷媒管４と束ねるために最適なコンジットの取付角度となるようにコンジット固定部８４を回動できるため、エクステリア性と設置性とを向上させて、かつ、コンジット８２の無理な引き回しによるコンジット８２そのものの破損や亀裂による絶縁性の低下を防止することができる。
【図面の簡単な説明】
【００４６】
【図１】本発明による空気調和機の室外機の実施例を示す斜視図である。
【図２】本発明による室外機の側面図である。
【図３】本発明によるコンジットの取付構造の別の実施例を示す斜視図である。
【図４】本発明によるコンジット固定部の上面図である。
【図５】本発明によるコンジットの取付構造の他の実施例を示す斜視図である。
【図６】図５で示したコンジットの取付構造の断面図である。
【図７】従来の空気調和機の室外機を示す、（Ａ）は要部正面図、（Ｂ）は側面図、（Ｃ）は電源カバーの正面図である。
【図８】従来の空気調和機でのコンジットの取付構造を示す斜視図である。
【符号の説明】
【００４７】
１  室外機
１ａ  配線窓
２  コンジット
２ａ  ネジ山
３  コンジット取付板
３ａ  透孔
３ｂ  ネジ孔
３ｃ  固定部
３ｄ  台形部
３ｅ  挿通孔
４  冷媒管
５  端子台
６  端子台取付板
６ａ  取付部
６ｂ  ネジ孔
７  ネジ
８  端子台カバー
８ａ  挿通孔
９  ネジ
１０  電装カバー
１０ａ  切欠
１１  ナット
１２  電線
２１  室外機
２２  コンジット
２３  コンジット固定部
２４  ネジ孔
２５  ナット
２６  ターミナル
２７  電線
２８  矩形孔
２９  端子台
３０  取付孔
３１  固定部
３２  ネジ
３３  ゴムパッキン
８１  室外機
８２  コンジット
８２ａ  フランジ板
８２ｂ  挿通孔
８４  コンジット固定部
８４ａ  ネジ溝
８４ｂ  フランジ部
８４ｃ  ネジ孔
８５  電線
８６  コネクタ
８７  電線
８８  コネクタ
８９  ネジ
９０  金属板
９０ａ  透穴
９１  固定ナット
９２  ストッパ部
９２ａ  溝
９２ｂ  Ｏリング
【図１】
2006046830.tif 000003
【図２】
2006046830.tif 000004
【図３】
2006046830.tif 000005
【図４】
2006046830.tif 000006
【図５】
2006046830.tif 000007
【図６】
2006046830.tif 000008
【図７】
2006046830.tif 000009
【図８】
2006046830.tif 000010